(57)【要約】対話形光ディスク装置でのコンテンツ情報再生方法およびコンテンツ提供サーバーでのコンテンツ情報提供方法を提供すること。  インターネットを介して連結された対話形光ディスク装置とコンテンツ提供サーバーとの間に送／受信される多様なコンテンツ情報の伝送が、インターネット上のネットワーク接続損失（Ｎｅｔｗｏｒｋ  Ｃｏｎｎｅｃｔｉｏｎ  Ｌｏｓｓ）または対話形光ディスク装置に具備されたバッファーメモリーの保存容量不足などにより一時中断されたりまたは遅れた場合、対話形ＤＶＤから読み出すデータストリームとコンテンツ提供サーバーから提供するコンテンツ情報を再同期して再生することができるようにすることによって、対話形光ディスク装置を具備したユーザーがより多様なコンテンツ情報を正常的に視聴することができるようになる。
2006506769.tif 000002
【特許請求の範囲】
【請求項１】
対話形光ディスクから読み出すデータとインターネットを介して接続したコンテンツ提供サーバーから伝送してダウンロードしたコンテンツ情報を同期して再生する１段階と、
前記コンテンツ情報の伝送が断絶または遅れる時、正常再生された最終コンテンツ情報に含まれたコンテンツ情報に関する情報を参照して、特定コンテンツ情報の伝送を要求するコマンドを前記コンテンツ提供サーバーに伝送する２段階と、
前記コマンドに相応して前記コンテンツ提供サーバーから再転送される特定コンテンツ情報を前記対話形光ディスクから読み出すデータと再同期して再生する３段階と
を具えたことを特徴とする対話形光ディスク装置でのコンテンツ情報再生方法。
【請求項２】
前記コンテンツ情報に含まれたコンテンツ情報に関する情報には、再生時間情報、コンテンツ情報のオフセット情報、前記対話形光ディスクから読み出すデータのオフセット情報のうち少なくとも一つ以上が含まれることを特徴とする請求項１記載の対話形光ディスク装置でのコンテンツ情報再生方法。
【請求項３】
前記２段階は、
前記コンテンツ情報の伝送が断絶または遅れる時、正常再生された最終コンテンツ情報に含まれたコンテンツ情報に関する情報を確認する段階と、
前記確認されたコンテンツ情報に関する情報を基礎にして、再同期が可能なコンテンツ情報に関する情報を算出する段階と、
前記算出されたコンテンツ情報に関する情報に対応する特定コンテンツ情報の再転送を要求するコマンドを前記コンテンツ提供サーバーに伝送する段階と
を含むことを特徴とする請求項２記載の対話形光ディスク装置でのコンテンツ情報再生方法。
【請求項４】
前記再同期が可能なコンテンツ情報に関する情報は、現在のネットワーク伝送ビットレートの帯域幅を参照して算出することを特徴とする請求項３記載の対話形光ディスク装置でのコンテンツ情報再生方法。
【請求項５】
前記特定コンテンツ情報の再転送を要求するコマンドは、前記再同期が可能なコンテンツ情報に関する情報を媒介変数にすることを特徴とする請求項３記載の対話形光ディスク装置でのコンテンツ情報再生方法。
【請求項６】
前記３段階は、
前記コンテンツ提供サーバーから再転送される特定コンテンツ情報に含まれたコンテンツ情報に関する情報を抽出する３−１段階と、
前記抽出されたコンテンツ情報に関する情報を基礎にして、前記対話形光ディスクから読み出すデータと前記再転送される特定コンテンツ情報を再同期して再生する３−２段階と
を含むことを特徴とする請求項３記載の対話形光ディスク装置でのコンテンツ情報再生方法。
【請求項７】
前記３−１段階に先立って、
前記コンテンツ提供サーバーから前記特定コンテンツ情報の再転送を知らせるコマンドを受信する段階をさらに含むことを特徴とする請求項６記載の対話形光ディスク装置でのコンテンツ情報再生方法。
【請求項８】
前記２段階は、
前記コンテンツ情報の伝送が断絶または遅れて、対話形光ディスク装置のバッファーメモリー内にダウンロードされてまだ再生されないコンテンツ情報のサイズが基準値未満になっているか確認する２−１段階と、
前記確認結果基準値未満になる場合、前記対話形光ディスクのデータ再生動作を自動で中止する２−２段階と、
正常再生された最終コンテンツ情報に含まれたコンテンツ情報に関する情報を参照して、特定コンテンツ情報の伝送を要求するコマンドを前記コンテンツ提供サーバーに伝送する２−３段階と
を含むことを特徴とする請求項２記載の対話形光ディスク装置でのコンテンツ情報再生方法。
【請求項９】
前記２−３段階は、
正常再生された最終コンテンツ情報に含まれたコンテンツ情報に関する情報を確認する段階と、
前記確認されたコンテンツ情報に関する情報を基礎にして、前記最後に正常再生されたコンテンツ情報以後のコンテンツ情報に関する情報を算出する段階と、
前記算出されたコンテンツ情報に関する情報に対応する特定コンテンツ情報の再転送を要求するコマンドを前記コンテンツ提供サーバーに伝送する段階と
を含むことを特徴とする請求項８記載の対話形光ディスク装置でのコンテンツ情報再生方法。
【請求項１０】
前記特定コンテンツ情報の再転送を要求するコマンドは、前記最後に正常再生されたコンテンツ情報以後のコンテンツ情報に関する情報を媒介変数にすることを特徴とする請求項９記載の対話形光ディスク装置でのコンテンツ情報再生方法。
【請求項１１】
第８項において前記３段階は、
前記コンテンツ提供サーバーから前記特定コンテンツ情報の再転送を知らせるコマンドを受信する段階と、
前記コマンドが受信された以後、前記コンテンツ提供サーバーから再転送される特定コンテンツ情報に含まれたコンテンツ情報に関する情報を抽出する段階と、
前記抽出されたコンテンツ情報に関する情報を基礎にして、前記対話形光ディスクから読み出すデータと前記再転送される特定コンテンツ情報を再同期して再生する段階と
を含むことを特徴とする請求項８記載の対話形光ディスク装置でのコンテンツ情報再生方法。
【請求項１２】
インターネットを介して接続した対話形光ディスク装置から伝送が要求されたコンテンツ情報とコンテンツ情報に関する情報が含まれたデータパケットを順次的に伝送する１段階と、
前記コンテンツ情報の伝送が断絶されたりまたは遅れる時、前記対話形光ディスク装置から、特定コンテンツ情報再転送を要求するコマンドを受信する２段階と、
前記コマンドに相応して、前記再転送が要求された特定コンテンツ情報と特定コンテンツ情報に関する情報が含まれたデータパケットを前記対話形光ディスク装置に再転送する３段階と
を含むことを特徴とするコンテンツ提供サーバーでのコンテンツ情報提供方法。
【請求項１３】
前記伝送するコンテンツ情報は、前記対話形光ディスク装置で対話形光ディスクから読み出すビデオデータと同期して再生されるオーディオデータであることを特徴とする請求項１２記載のコンテンツ提供サーバーでのコンテンツ情報提供方法。
【請求項１４】
前記コンテンツ情報に関する情報には、再生時間情報、コンテンツ情報のオフセット情報、前記対話形光ディスクから読み出すデータのオフセット情報のうち少なくとも一つ以上が含まれることを特徴とする請求項１２記載のコンテンツ提供サーバーでのコンテンツ情報提供方法。
【請求項１５】
前記特定コンテンツ情報の再転送を要求するコマンドは、前記特定コンテンツ情報に関する情報を媒介変数にすることを特徴とする請求項１２記載のコンテンツ提供サーバーでのコンテンツ情報提供方法。
【請求項１６】
前記３段階は、
前記特定コンテンツ情報に関する情報に対応するデータの位置を探索する段階と、
前記対話形光ディスク装置にコンテンツ情報の再転送を知らせるコマンドを伝送する段階と、
前記位置から読み出したコンテンツ情報とコンテンツ情報に関する情報が含まれたデータパケットを、前記対話形光ディスク装置に再転送する段階と
を含むことを特徴とする請求項１５記載のコンテンツ提供サーバーでのコンテンツ情報提供方法。
【請求項１７】
インターネットを介して接続したコンテンツ提供サーバーからオフセットテーブル情報をダウンロード受けて管理する１段階と、
前記コンテンツ提供サーバーから伝送してダウンロードしたコンテンツ情報と対話形光ディスクから読み出すデータを同期して再生する２段階と、
前記コンテンツ情報の伝送が断絶または遅れる時、前記オフセットテーブル情報を参照して、特定コンテンツ情報の再転送を要求するコマンドを前記コンテンツ提供サーバーに伝送する３段階と、
前記コマンドに相応して前記コンテンツ提供サーバーから再転送される特定コンテンツ情報を前記対話形光ディスクから読み出すデータと再同期して再生する４段階と
を具えたことを特徴とする対話形光ディスク装置でのコンテンツ情報再生方法。
【請求項１８】
前記オフセットテーブル情報には、再生時間情報、前記対話形光ディスクから読み出すデータのオフセット情報、およびコンテンツ情報のオフセット情報が連係していることを特徴とする請求項１７記載の対話形光ディスク装置でのコンテンツ情報再生方法。
【請求項１９】
前記３段階は、
前記コンテンツ情報の伝送が断絶または遅れる時、正常再生された最終コンテンツ情報に関する情報を前記オフセットテーブル情報から確認する段階と、
前記確認されたコンテンツ情報に関する情報を基礎にして、再同期が可能なコンテンツ情報に関する情報を算出する段階と、
前記算出されたコンテンツ情報に関する情報に対応する特定コンテンツ情報の再転送を要求するコマンドを前記コンテンツ提供サーバーに伝送する段階と
を含むことを特徴とする請求項１７記載の対話形光ディスク装置でのコンテンツ情報再生方法。
【請求項２０】
前記再同期が可能なコンテンツ情報に関する情報は、現在のネットワーク伝送ビットレートの帯域幅を参照して算出することを特徴とする請求項１９記載の対話形光ディスク装置でのコンテンツ情報再生方法。
【請求項２１】
前記特定コンテンツ情報の再転送を要求するコマンドは、前記再同期が可能なコンテンツ情報に関する情報を媒介変数にすることを特徴とする請求項１９記載の対話形光ディスク装置でのコンテンツ情報再生方法。
【請求項２２】
前記４段階は、
前記コンテンツ提供サーバーから前記特定コンテンツ情報の再転送を知らせるコマンドを受信する段階と、
前記コマンドが受信された以後、前記コンテンツサーバーから再転送される特定コンテンツ情報を前記対話形光ディスクから読み出すデータと再同期して再生する段階と
を含むことを特徴とする請求項１７記載の対話形光ディスク装置でのコンテンツ情報再生方法。
【請求項２３】
前記コンテンツ情報はオーディオデータであって、前記対話形光ディスクから読み出すデータにはビデオデータが含まれることを特徴とする請求項１又は１７記載の対話形光ディスク装置でのコンテンツ情報再生方法。
【請求項２４】
インターネットを介して接続した対話形光ディスク装置から伝送が要求されたコンテンツ情報に関するオフセットテーブル情報を伝送する１段階と、
前記オフセットテーブル情報の伝送が終わった後、前記対話形光ディスク装置から伝送が要求されたコンテンツ情報を順次的に伝送する２段階と、
前記コンテンツ情報の伝送が断絶または遅れる時、前記対話形光ディスク装置から、特定コンテンツ情報の再転送を要求するコマンドを受信する３段階と、
前記コマンドに相応して、前記特定コンテンツ情報を前記対話形光ディスク装置に再転送する４段階を含むことを特徴とするコンテンツ提供サーバーでのコンテンツ情報提供方法。
【請求項２５】
前記伝送するコンテンツ情報は、前記対話形光ディスク装置で対話形光ディスクから読み出すビデオデータと同期して再生されるオーディオデータであることを特徴とする請求項２４記載のコンテンツ提供サーバーでのコンテンツ情報提供方法。
【請求項２６】
前記オフセットテーブル情報には、再生時間情報、前記対話形光ディスクから読み出すデータのオフセット情報、およびコンテンツ情報のオフセット情報が連係していることを特徴とする請求項２４記載のコンテンツ提供サーバーでのコンテンツ情報提供方法。
【請求項２７】
前記特定コンテンツ情報の再転送を要求するコマンドは、前記特定コンテンツ情報に関する情報を媒介変数にすることを特徴とする請求項２４記載のコンテンツ提供サーバーでのコンテンツ情報提供方法。
【請求項２８】
前記４段階は、
前記特定コンテンツ情報に関する情報に対応するデータの位置を探索する段階と、
前記対話形光ディスク装置にコンテンツ情報の再転送を知らせるコマンドを伝送する段階と、
前記位置のコンテンツ情報を読み出して、前記対話形光ディスク装置に再転送する段階と
を含むことを特徴とする請求項２７記載のコンテンツ提供サーバーでのコンテンツ情報提供方法。
【請求項２９】
対話形光ディスクから読み出すデータとインターネットを介して接続したコンテンツ提供サーバーから伝送してダウンロードしたコンテンツ情報を同期して再生する１段階と、
対話形光ディスク装置のバッファーメモリー内にダウンロードされてまだ再生されないコンテンツ情報のサイズが第１基準値以下または第２基準値以上になる場合、コンテンツ情報の伝送速度調節を要求するコマンドを前記コンテンツ提供サーバーに伝送する２段階と
を具えたことを特徴とする対話形光ディスク装置でのコンテンツ情報再生方法。
【請求項３０】
前記１段階は、
インターネットを介して、対話形光ディスクから読み出すデータと同期して再生するコンテンツ情報を有するコンテンツ提供サーバーに接続を試みる段階と、
前記コンテンツ提供サーバーから伝送する接続に必要な情報を利用して、前記コンテンツ情報の伝送を要求するコマンドを伝送する段階と、
前記コマンドに相応して伝送してダウンロードしたコンテンツ情報と前記対話形光ディスクから読み出すデータを同期して再生する段階と
を含むことを特徴とする請求項２９記載の対話形光ディスク装置でのコンテンツ情報再生方法。
【請求項３１】
前記コンテンツ提供サーバーから伝送する接続に必要な情報は、コンテンツ提供サーバーのＩＰとポートであることを特徴とする請求項３０記載の対話形光ディスク装置でのコンテンツ情報再生方法。
【請求項３２】
前記コンテンツ情報の伝送速度調節を要求するコマンドは、前記バッファーメモリーの利用可能なメモリーサイズを媒介変数にすることを特徴とする請求項２９記載の対話形光ディスク装置でのコンテンツ情報再生方法。
【請求項３３】
インターネットを介して接続した対話形光ディスク装置から伝送が要求されたコンテンツ情報を順次的に伝送する１段階と、
前記対話形光ディスク装置からコンテンツ情報の伝送速度調節を要求するコマンドが受信される場合、前記コマンドによって伝送速度を調節してコンテンツ情報を伝送する２段階と
を具えたことを特徴とするコンテンツ提供サーバーでのコンテンツ情報提供方法。
【請求項３４】
前記１段階は、
インターネットを介して対話形光ディスク装置から接続が試図される場合、接続に必要な情報を前記対話形光ディスク装置に伝送する段階と、
前記対話形光ディスクからコンテンツ情報の伝送を要求するコマンドが伝送される場合、前記対話形光ディスクから伝送が要求されるコンテンツ情報を順次的に伝送する段階と
を含むことを特徴とする請求項３３記載のコンテンツ提供サーバーでのコンテンツ情報提供方法。
【請求項３５】
前記必要な情報は、コンテンツ提供サーバーのＩＰとポートであることを特徴とする請求項３４記載のコンテンツ提供サーバーでのコンテンツ情報提供方法。
【請求項３６】
前記コンテンツ情報の伝送速度調節を要求するコマンドは、前記対話形光ディスク装置のバッファーメモリーの利用可能なメモリーサイズを媒介変数にすることを特徴とする請求項３３記載のコンテンツ提供サーバーでのコンテンツ情報提供方法。
【請求項３７】
前記２段階は、
前記対話形光ディスク装置からコンテンツ情報の伝送速度調節を要求するコマンドが受信される場合、前記コマンドの媒介変数、現在の伝送速度、および前記コンテンツ情報の再生速度を考慮して新しい伝送速度を算出する段階と、
前記算出された伝送速度でコンテンツ情報を伝送する段階と
を含むことを特徴とする請求項３６記載のコンテンツ提供サーバーでのコンテンツ情報提供方法。
【発明の詳細な説明】
【技術分野】
【０００１】
本発明は、対話形ＤＶＤ（Ｉ−ＤＶＤ：Ｉｎｔｅｒａｃｔｉｖｅ  Ｄｉｇｉｔａｌ  Ｖｅｒｓａｔｉｌｅ  Ｄｉｓｃ）のような光ディスクのＡ／Ｖデータと関連した多様なコンテンツ情報を、インターネットを介して接続したコンテンツ提供（ＣＰ：Ｃｏｎｔｅｎｔｓ  Ｐｒｏｖｉｄｅｒ）サーバーから提供受けて再生する対話形光ディスク装置でのコンテンツ情報再生方法、および、コンテンツ提供サーバーでのコンテンツ情報提供方法に関する。
【背景技術】
【０００２】
一般的に、大容量のデジタルデータを保存することができる高密度光ディスク、例えばＤＶＤが広く普及している。前記ＤＶＤは、デジタルオーディオデータはもちろん高画質の動映像データを保存することができる大容量記録媒体で商用化されている。
【０００３】
一方、前記ＤＶＤには、前記動映像データの再生制御のために必要なナビゲーション（Ｎａｖｉｇａｔｉｏｎ）データが保存されるナビゲーションデータ記録領域と、前記動映像データのようなデジタルデータストリームが保存されるデータストリーム記録領域が含まれる。
【０００４】
したがって、一般的なＤＶＤ再生装置では、前記ＤＶＤが装置内に挿入安着される場合、前記ナビゲーションデータ記録領域に記録されたナビゲーションデータを読み出して装置内のメモリーに保存した後、前記保存されたナビゲーションデータを利用して前記データストリーム記録領域に記録された動映像データを読み出して再生するＤＶＤ再生動作を遂行するようになる。
【０００５】
これにより、前記ＤＶＤ再生装置を具備したユーザーは、前記ＤＶＤに記録された高画質の動映像データを視聴するようになることはもちろん、前記ＤＶＤが提供する多様な機能を選択して利用することができるようになる。
【０００６】
一方、最近には前記ＤＶＤから再生されるＡ／Ｖデータと関連した詳細情報を、‘ｈｔｍｌファイル’等のような多様なコンテンツ情報でＤＶＤ上に付加記録して、ユーザーとの相互作用（Ｉｎｔｅｒａｃｔｉｏｎ）を介して再生する対話形ＤＶＤ（Ｉ−ＤＶＤ）に対する具体化方案が関連企業等間で論議されている。このような対話形ＤＶＤが商用化される場合、前記Ａ／Ｖデータと関連した多様なコンテンツ情報をユーザーが容易く検索できるようになることと期待されている。
【０００７】
また、前記対話形ＤＶＤ（Ｉ−ＤＶＤ）に記録されたＡ／Ｖデータとコンテンツ情報を再生しながら、また他の多様なコンテンツ情報をインターネットを介して接続したコンテンツ提供サーバーから提供受けて、前記再生されるＡ／Ｖデータと同期させて再生することができるようにするための方案が論議されている。
【発明の開示】
【発明が解決しようとする課題】
【０００８】
しかし、この場合ネットワーク接続損失（Ｎｅｔｗｏｒｋ  Ｃｏｎｎｅｃｔｉｏｎ  Ｌｏｓｓ）または対話形光ディスク装置に含まれるバッファーメモリーの保存容量不足などによりコンテンツ情報の伝送が一時中断されたりまたは遅れる場合、再同期化のための具体的な方案がまだ用意されておらず、その解決策が要求されている実情である。
【０００９】
したがって、本発明の目的は、前記のような実情を勘案して創作されたものであって、インターネットを介して連結された対話形光ディスク装置とコンテンツ提供サーバー間に送／受信される多様なコンテンツ情報の伝送が一時断絶されたりまたは遅れた場合、対話形ＤＶＤから読み出すデータストリームとコンテンツ提供サーバーから提供する多様なコンテンツ情報を再び同期（Ｒｅ−ｓｙｎｃｈｒｏｎｉｚｉｎｇ）させて再生することができるようにするための対話形光ディスク装置でのコンテンツ情報再生方法、および、コンテンツ提供サーバーでのコンテンツ情報提供方法を提供することにある。
【課題を解決するための手段】
【００１０】
上記のような目的を達成するための本発明による対話形光ディスク装置でのコンテンツ情報再生方法は、対話形光ディスクから読み出すデータとインターネットを介して接続したコンテンツ提供サーバーから伝送してダウンロードしたコンテンツ情報を同期して再生する１段階と、前記コンテンツ情報の伝送が断絶されたりまたは遅れる時、正常再生された最終コンテンツ情報に含まれたコンテンツ情報に関する情報を参照して、特定コンテンツ情報の伝送を要求するコマンドを前記コンテンツ提供サーバーに伝送する２段階と、前記コマンドに相応して前記コンテンツ提供サーバーから再転送される特定コンテンツ情報を前記対話形光ディスクから読み出すデータと再同期して再生する３段階とを含んで構成されることを特徴とする。
【００１１】
また、本発明の他の実施形態による対話形光ディスク装置でのコンテンツ情報再生方法は、インターネットを介して接続したコンテンツ提供サーバーからオフセットテーブル情報をダウンロード受けて管理する１段階と、前記コンテンツ提供サーバーから伝送してダウンロードしたコンテンツ情報と対話形光ディスクから読み出すデータを同期して再生する２段階と、前記コンテンツ情報の伝送が断絶されたりまたは遅れる時、前記オフセットテーブル情報を参照して、特定コンテンツ情報の再転送を要求するコマンドを前記コンテンツ提供サーバーに伝送する３段階と、前記コマンドに相応して前記コンテンツ提供サーバーから再転送される特定コンテンツ情報を前記対話形光ディスクから読み出すデータと再同期して再生する４段階とを含んで構成されることを特徴とする。
【００１２】
また、本発明の他の実施形態による対話形光ディスク装置でのコンテンツ情報再生方法は、対話形光ディスクから読み出すデータとインターネットを介して接続したコンテンツ提供サーバーから伝送してダウンロードしたコンテンツ情報を同期して再生する１段階と、対話形光ディスク装置のバッファーメモリー内にダウンロードされてまだ再生されないコンテンツ情報のサイズが第１基準値以下または第２基準値以上になる場合、コンテンツ情報の伝送速度調節を要求するコマンドを前記コンテンツ提供サーバーに伝送する２段階とを含んで構成されることを特徴とする。
【００１３】
一方、本発明によるコンテンツ提供サーバーでのコンテンツ情報提供方法は、インターネットを介して接続した対話形光ディスク装置から伝送が要求されたコンテンツ情報とコンテンツ情報に関する情報が含まれたデータパケットを順次的に伝送する１段階と、前記コンテンツ情報の伝送が断絶されたりまたは遅れる時、前記対話形光ディスク装置から、特定コンテンツ情報再転送を要求するコマンドを受信する２段階；及び前記コマンドに相応して、前記再転送が要求された特定コンテンツ情報と特定コンテンツ情報に関する情報が含まれたデータパケットを前記対話形光ディスク装置に再転送する３段階を含んで構成されることを特徴とする。
【００１４】
また、本発明の他の実施形態によるコンテンツ提供サーバーでのコンテンツ情報提供方法は、インターネットを介して接続した対話形光ディスク装置から伝送が要求されたコンテンツ情報に関するオフセットテーブル情報を伝送する１段階と、前記オフセットテーブル情報の伝送が終わった後、前記対話形光ディスク装置から伝送が要求されたコンテンツ情報を順次的に伝送する２段階と、前記コンテンツ情報の伝送が断絶されたりまたは遅れる時、前記対話形光ディスク装置から、特定コンテンツ情報の再転送を要求するコマンドを受信する３段階と、前記コマンドに相応して、前記特定コンテンツ情報を前記対話形光ディスク装置に再転送する４段階とを含んで構成されることを特徴とする。
【００１５】
また、本発明の他の実施形態によるコンテンツ提供サーバーでのコンテンツ情報提供方法は、インターネットを介して接続した対話形光ディスク装置から伝送が要求されたコンテンツ情報を順次的に伝送する１段階と、前記対話形光ディスク装置からコンテンツ情報の伝送速度調節を要求するコマンドが受信される場合、前記コマンドによって伝送速度を調節してコンテンツ情報を伝送する２段階とを含んで構成されることを特徴とする。
【発明を実施するための最良の形態】
【００１６】
以下、本発明による対話形光ディスク装置でのコンテンツ情報再生方法とコンテンツ提供サーバーでのコンテンツ情報提供方法に対する望ましい実施形態に対して、添付した図面を参照しながら詳細に説明する。
【００１７】
図１は、本発明が適用される対話形光ディスク装置とコンテンツ提供サーバー間の接続状態を示したものである。前記対話形光ディスク装置、例えば対話形ＤＶＤプレーヤー１００は、光ピックアップ１１、Ｉ−ＤＶＤシステム１２、マイコン１３、バッファーメモリー１４、そしてインターネットインターフェース１５などで構成されることができる。
【００１８】
一方、前記Ｉ−ＤＶＤシステム１２では、対話形ＤＶＤ  １０から読み出すＡ／Ｖデータとコンテンツ情報を同期化させて再生するようになって、前記インターネットインターフェース１５は、図１に示したように、前記マイコン１３と前記Ｉ−ＤＶＤシステム１２内に内蔵されたエンハンストナビゲーター（Ｅｎｈａｎｃｅｄ  Ｎａｖｉｇａｔｏｒ）（図示せず）の相互作用によりインターネット２００を介してコンテンツ提供サーバー３００に接続される。
【００１９】
そして、前記バッファーメモリー１４では、前記コンテンツ提供サーバー３００から提供する多様なコンテンツ情報、例えば対話形ＤＶＤ  １０から読み出すビデオデータと関連したオーディオデータ等のような多様なＥＮＡＶ（Ｅｎｈａｎｃｅｄ  Ｎａｖｉｇａｔｉｏｎ）コンテンツデータをダウンロード受けて臨時保存するようになる。そして、前記バッファーメモリー１４は論理的に第１バッファー（Ｂｕｆｆｅｒ  １）と第２バッファー（Ｂｕｆｆｅｒ  ２）に区分されることができる。
【００２０】
また、Ｉ−ＤＶＤシステム１２のうちエンハンストナビゲーターは、図２に示したように、前記対話形ＤＶＤ  １０から読み出すＡ／ＶストリームとＥＮＡＶコンテンツ情報を再生しながら、前記コンテンツ提供サーバー３００から提供するまた他のＥＮＡＶコンテンツ情報を同期させて再生するようになる。
【００２１】
これにより、前記対話形ＤＶＤプレーヤー１００を具備したユーザーは、前記対話形ＤＶＤ  １０から読み出すＡ／Ｖストリーム及び／またはＥＮＡＶコンテンツ情報と、前記コンテンツ提供サーバー３００から提供するＥＮＡＶコンテンツ情報、例えばオーディオデータを共に視聴することができるようになる。
【００２２】
一方、インターネット上でのネットワーク接続損失または対話形ＤＶＤプレーヤーに含んで構成されたバッファーメモリーの保存容量不足などにより、前記コンテンツ提供サーバー３００からオーディオデータのようなＥＮＡＶコンテンツ情報の提供が一時中断されたりまたは遅れる場合、前記Ｉ−ＤＶＤシステム１２のうちエンハンストナビゲーターは、前記対話形ＤＶＤ  １０から読み出すデータストリームとコンテンツ提供サーバー３００から提供するオーディオデータを再同期（Ｒｅ−ｓｙｎｃｈｒｏｎｉｚｉｎｇ）させるための一連の動作を遂行するようになる。これに対して詳細に説明すると次のようである。
【００２３】
図３は本発明の第１実施形態による対話形光ディスク装置とコンテンツ提供サーバー間のデータ送／受信過程を示したものである。例えば対話形ＤＶＤプレーヤー１００では、前述したように、装置内に挿入安着された対話形ＤＶＤ  １０のＡ／Ｖストリームを再生する途中、ユーザーの要求またはスクリプト（Ｓｃｒｉｐｔ）によるイベント発生によって、コンテンツ提供サーバー３００との初期インターネット接続動作を遂行するようになって（Ｓ１０）、前記コンテンツ提供サーバー３００ではそれに相応する動作を遂行するようになる（Ｓ１１）。
【００２４】
以後、前記対話形ＤＶＤプレーヤー１００では、現在再生中のＡ／Ｖストリームに対応するオーディオデータのようなＥＮＡＶコンテンツ情報を伝送することを要求するコマンドを生成して、前記コンテンツ提供サーバー３００に伝送するようになる（Ｓ１２）。
【００２５】
そして、前記コンテンツ提供サーバー３００では、前記のように伝送要求されたオーディオデータをデータベース（図示せず）で検索して、ＥＮＡＶコンテンツ情報で伝送する動作を遂行するようになって（Ｓ１５）、前記対話形ＤＶＤプレーヤー１００では、そのＥＮＡＶコンテンツ情報で提供されるオーディオデータを前記バッファーメモリー１４にダウンロード受けて臨時保存した後、前記対話形ＤＶＤ  １０から読み出すビデオデータと共に同期化させて再生するようになる。
【００２６】
一方、前記対話形ＤＶＤプレーヤー１００では、前記バッファーメモリー１４にダウンロードされるオーディオデータ、すなわちＥＮＡＶコンテンツ情報のサイズを持続的に更新するようになる。また、前記コンテンツ提供サーバー３００では、インターネット上でのクライアント（Ｃｌｉｅｎｔｓ）の接続失敗及びタイムアウトなどのネットワーク接続損失状況に対するエラー処理などを準備して、クライアントに対する接続を待機するようになる。
【００２７】
そして、前記コンテンツ提供サーバー３００では、ネットワーク接続損失が発生するようになる場合、前記ＥＮＡＶコンテンツ情報の伝送を中止するようになって（Ｓ１５）、前記対話形ＤＶＤプレーヤー１００では、ＥＮＡＶコンテンツ情報の伝送が中止する場合、前記バッファーメモリー１４に臨時保存された最終ダウンロードポジション情報、例えば前記コンテンツ提供サーバー３００からダウンロード受けてバッファーメモリー１４に保存されているオーディオデータのオフセットを示す‘ＴｏｔａｌＮｕｍＤｏｗｎｌａｏｄＡｕｄｉｏ’情報を確認した後、前記コンテンツ提供サーバーに伝送するようになる（Ｓ１６）。
【００２８】
以後、前記対話形ＤＶＤプレーヤー１００では、前記ＥＮＡＶコンテンツ情報を再び伝送することを要求するコマンド、例えば前記バッファーメモリー１４にダウンロードしたオーディオデータのオフセット次から再びＥＮＡＶコンテンツ情報を伝送することを要求する‘Ｒｅｓｔｏｒｅ’コマンドを生成して、コンテンツ提供サーバー３００に伝送するようになる（Ｓ１７）。
【００２９】
一方、前記コンテンツ提供サーバー３００では、前記のような過程を介して受信される‘ＴｏｔａｌＮｕｍＤｏｗｎｌａｏｄＡｕｄｉｏ’情報を参照してＥＮＡＶコンテンツ情報が伝送中止した時点に該当するオーディオデータの記録位置を記憶していて、前記‘Ｒｅｓｔｏｒｅ’コマンドが受信される場合、それに相応する‘ＲｅＳｙｎｃｈＡＣＫ’コマンドを伝送した後（Ｓ１８）、前記記録位置のＥＮＡＶコンテンツ情報を読み出して再び伝送する動作を遂行するようになる（Ｓ１９）。前記対話形ＤＶＤプレーヤー１００では、前記のような‘ＲｅＳｙｎｃＡＣＫ’コマンド伝送直後のＥＮＡＶコンテンツ情報のみを正常的なデータで判別するようになるので、対話形ＤＶＤ  １０から読み出すデータとコンテンツ情報間の正確な再同期化が可能になる。このようにネットワーク接続損失が発生するようになる場合、このような一連の動作（Ｓ１５〜Ｓ１９）が繰り返される。
【００３０】
したがって、インターネット上でのネットワーク接続損失または対話形ＤＶＤプレーヤーに含まれるバッファーメモリーの保存容量不足などにより、ＥＮＡＶコンテンツ情報の伝送が一時断絶されたりまたは遅れる場合にも、前記のようなＤＶＤプレーヤーとコンテンツ提供サーバーの相互作用を介してＥＮＡＶコンテンツ情報を正常的に再び送／受信できるようになって、対話形ＤＶＤから読み出すデータとコンテンツ提供サーバーから提供するコンテンツ情報を再同期化して正常的に再生することができるようになる。
【００３１】
図４は本発明の第２実施形態による対話形光ディスク装置とコンテンツ提供サーバー間のデータ送／受信過程を示したものである。前述したように、対話形ＤＶＤプレーヤー１００ではコンテンツ提供サーバー３００との初期インターネット接続動作を遂行するようになって、前記コンテンツ提供サーバー３００ではそれに相応する動作を遂行するようになる。
【００３２】
そして、前記対話形ＤＶＤプレーヤー１００では、現在再生中のＡ／Ｖストリームに対応するオーディオデータのようなＥＮＡＶコンテンツ情報を伝送することを要求するコマンドを生成して、前記コンテンツ提供サーバー３００に出力するようになる。
【００３３】
また、前記コンテンツ提供サーバー３００では、前記のように伝送要求されたオーディオデータをデータベースで検索して、ＥＮＡＶコンテンツ情報で伝送するようになる。前記ＥＮＡＶコンテンツ情報で伝送するオーディオデータは、図４に示したように、ビデオオフセット（Ｖ_Ｏｆｆｓｅｔ）情報とＥＮＡＶデータ（ＥＮＡＶ  Ｄａｔａ）で構成されるＥＮＡＶ（ＥＮＡＶ  Ｄａｔａ  Ｐａｃｋｅｔ）データパケット（ＥＮＡＶ  Ｄａｔａ  Ｐａｃｋｅｔ）で伝送する。
【００３４】
そして、前記対話形ＤＶＤプレーヤー１００では、前記ＥＮＡＶデータパケット（ＥＮＡＶ  Ｄａｔａ  Ｐａｃｋｅｔ）に含まれたビデオオフセット（Ｖ_Ｏｆｆｓｅｔ）情報を参照して、前記対話形ＤＶＤ  １０から読み出すＡ／Ｖストリームと前記コンテンツ提供サーバー３００からダウンロードされてバッファーメモリー１４に臨時保存されたＥＮＡＶコンテンツ情報、すなわちオーディオデータを同期して再生する動作を遂行するようになる。
【００３５】
一方、前記のようにインターネットを介したオーディオデータの伝送がインターネット上でのネットワーク接続損失などにより一時断絶されたり遅れる場合または前記バッファーメモリー１４に臨時保存されてまだ再生されないオーディオデータのサイズが零（Ｚｅｒｏ）になったりまたは事前に設定された基準値未満になる場合、前記対話形ＤＶＤプレーヤー１００では、ネットワーク伝送ビットレートの帯域幅（Ｂａｎｄｗｉｄｔｈ）などを参照して再同期化が可能な予測ビデオオフセット値を算出するようになる。
【００３６】
例えば、正常的に受信されたビデオオフセット値が‘Ｖ_Ｏｆｆｓｅｔ１５’であって再同期化が可能な予測ビデオオフセット値が‘Ｖ_Ｏｆｆｓｅｔ２０’である場合、前記‘Ｖ_Ｏｆｆｓｅｔ２０’に対応するオーディオデータを伝送することを要求するコマンド、例えば‘ＩｎｆｏｒｍＶｉｄｅｏｏｆｆｓｅｔ’コマンドを生成して前記コンテンツ提供サーバー３００に伝送するようになる。
【００３７】
そして、前記コンテンツ提供サーバー３００では、前記‘ＩｎｆｏｒｍＶｉｄｅｏｏｆｆｓｅｔ’コマンドによって前記‘Ｖ_Ｏｆｆｓｅｔ２０’に対応するオーディオデータの記録位置を探索した後、その記録位置でのオーディオデータを読み出して伝送するようになる。この時前記オーディオデータのＥＮＡＶデータパケットには‘Ｖ_Ｏｆｆｓｅｔ２０’を示すビデオオフセット情報が含まれる。
【００３８】
したがって、前記対話形ＤＶＤプレーヤー１００では、前記のような過程を介して受信されるＥＮＡＶデータパケットのビデオオフセット情報を確認した後、そのビデオオフセット値が現在対話形ＤＶＤ  １０から読み出して再生されるビデオデータのオフセット値と一致する場合、前記ＥＮＡＶデータパケットに含まれたオーディオデータと対話形ＤＶＤから読み出すデータを再同期して再生する動作を遂行するようになる。
【００３９】
図５は本発明の第３実施形態による対話形光ディスク装置とコンテンツ提供サーバー間のデータ送／受信過程を示したものである。前述したように、対話形ＤＶＤプレーヤー１００ではコンテンツ提供サーバー３００との初期インターネット接続動作を遂行するようになって、前記コンテンツ提供サーバー３００ではそれに相応する動作を遂行するようになる。
【００４０】
そして、前記対話形ＤＶＤプレーヤー１００では、現在再生中のＡ／Ｖストリームに対応するオーディオデータのようなＥＮＡＶコンテンツ情報を伝送することを要求するコマンドを生成して、前記コンテンツ提供サーバー３００に出力するようになる。
【００４１】
また、前記コンテンツ提供サーバー３００では、前記のように伝送要求されたオーディオデータをデータベースで検索して、ＥＮＡＶコンテンツ情報で伝送するようになる。前記オーディオデータは、図５に示したように、ビデオオフセット（Ｖ_Ｏｆｆｓｅｔ）情報とＥＮＡＶデータ（ＥＮＡＶ  Ｄａｔａ）で構成されるＥＮＡＶデータパケット（ＥＮＡＶ  Ｄａｔａ  Ｐａｃｋｅｔ）で伝送する。
【００４２】
そして、前記対話形ＤＶＤプレーヤー１００では、前記ＥＮＡＶデータパケット（ＥＮＡＶ  Ｄａｔａ  Ｐａｃｋｅｔ）に含まれたビデオオフセット（Ｖ_Ｏｆｆｓｅｔ）情報を参照して、前記対話形ＤＶＤ  １０から読み出すＡ／Ｖストリームと前記コンテンツ提供サーバー３００からダウンロードされてバッファーメモリー１４に臨時保存されたＥＮＡＶコンテンツ情報、すなわちオーディオデータを同期して再生する動作を遂行するようになる。
【００４３】
一方、前記のようにインターネットを介したオーディオデータの伝送がインターネット上でのネットワーク接続損失などにより一時断絶されたり遅れる場合、または前記バッファーメモリー１４に臨時保存されてまだ再生されないオーディオデータのサイズが零（Ｚｅｒｏ）になったりまたは事前に設定された基準値未満になる場合、前記対話形ＤＶＤプレーヤー１００では、現在のプレー（Ｐａｌａｙ）モードをポーズオン（Ｐａｕｓｅ  Ｏｎ）状態に自動転換するようになる。
【００４４】
そして、正常的に受信されたビデオオフセット値を確認するようになるが、例えば正常受信されたビデオオフセット値が‘Ｖ_Ｏｆｆｓｅｔ１５’である場合、その‘Ｖ_Ｏｆｆｓｅｔ１５’の次の番目ビデオオフセット、すなわち‘Ｖ_Ｏｆｆｓｅｔ１６’に対応するオーディオデータを伝送することを要求するコマンド、例えば‘ＩｎｆｏｒｍＶｉｄｅｏｏｆｆｓｅｔ’コマンドを生成して前記コンテンツ提供サーバー３００に伝送するようになる。
【００４５】
一方、前記コンテンツ提供サーバー３００では、前記‘ＩｎｆｏｒｍＶｉｄｅｏｏｆｆｓｅｔ’コマンドによって、前記‘Ｖ_Ｏｆｆｓｅｔ１６’に対応するオーディオデータの記録位置を探索した後、その記録位置でのオーディオデータを読み出して伝送するようになる。この時コンテンツ情報の再転送を知らせるコマンド、例えば‘ＲｅＳｙｎｃｈＡＣＫ’コマンドを先に伝送した後、‘Ｖ_Ｏｆｆｓｅｔ１６’が含まれたオーディオデータのＥＮＡＶデータパケットを伝送するようになる。
【００４６】
そして、前記対話形ＤＶＤプレーヤー１００では、前記‘ＲｅＳｙｎｃｈＡＣＫ’コマンドが受信された以後に、前記のような過程を介して伝送するＥＮＡＶデータパケットのビデオオフセット情報を確認して、そのビデオオフセット値が伝送要求された‘Ｖ_Ｏｆｆｓｅｔ１６’である場合、ポーズオン状態をポーズオフ（Ｐａｕｓｅ  Ｏｆｆ）に自動転換するようになる。
【００４７】
また、前記対話形ＤＶＤ  １０から読み出すビデオデータのオフセット値と一致する場合、前記ＥＮＡＶデータパケットに含まれたオーディオデータと対話形ＤＶＤから読み出すデータを再同期して再生する動作を遂行するようになる。
【００４８】
参考に、前記ＥＮＡＶデータパケットに含まれて伝送するビデオオフセット情報は、再生時間（Ｐｌａｙｂａｃｋ  Ｔｉｍｅ）情報またはオーディオオフセット（Ａｕｄｉｏ  ｏｆｆｓｅｔ）情報で代替することができる。この場合前記対話形ＤＶＤプレーヤーとコンテンツ提供サーバーでは、前記ビデオオフセット情報の代わりに前記再生時間情報またはオーディオオフセット情報を参照してそれに対応するＥＮＡＶデータを送／受信するようになる。
【００４９】
図６は本発明の第４実施形態による対話形光ディスク装置とコンテンツ提供サーバー間のデータ送／受信過程を示したものである。前述したように、対話形ＤＶＤプレーヤー１００ではコンテンツ提供サーバー３００との初期インターネット接続動作を遂行するようになって、前記コンテンツ提供サーバー３００ではそれに相応する動作を遂行するようになる。
【００５０】
そして、前記対話形ＤＶＤプレーヤー１００では、現在再生中のＡ／Ｖストリームに対応するオーディオデータのようなＥＮＡＶコンテンツ情報を伝送することを要求するコマンドを生成して前記コンテンツ提供サーバー３００に出力するようになる。
【００５１】
一方、前記コンテンツ提供サーバー３００では、例えば図７に示したように、再生時間（Ｐｌａｙｂａｃｋ  Ｔｉｍｅ）情報、ビデオオフセット（Ｖｉｄｅｏ  ｏｆｆｓｅｔ）、そしてオーディオオフセット（Ａｕｄｉｏ  ｏｆｆｓｅｔ）情報が連係保存されたオフセットテーブル（Ｏｆｆｓｅｔ  Ｔａｂｌｅ）情報を前記対話形ＤＶＤプレーヤー１００に伝送するようになる。
【００５２】
そして、前記のように伝送要求されたオーディオデータをデータベースで検索して、ＥＮＡＶコンテンツ情報で伝送するようになる。前記対話形ＤＶＤプレーヤー１００では、前記対話形ＤＶＤ  １０から読み出すＡ／Ｖストリームと前記コンテンツ提供サーバー３００からダウンロードされてバッファーメモリー１４に臨時保存されたＥＮＡＶコンテンツ情報、すなわちオーディオデータを同期して再生する動作を遂行するようになる。
【００５３】
一方、前記のようにインターネットを介したオーディオデータの伝送がインターネット上でのネットワーク接続損失などにより一時断絶されたり遅れる場合、または前記バッファーメモリー１４に臨時保存されてまだ再生されないオーディオデータのサイズが零（Ｚｅｒｏ）になったりまたは事前に設定された基準値未満になる場合、前記対話形ＤＶＤプレーヤー１００では、ネットワーク伝送ビットレートの帯域幅（Ｂａｎｄｗｉｄｔｈ）などを参照して再同期化が可能な予測オーディオオフセット値を算出するようになる。
【００５４】
例えば、正常的に受信されたオーディオデータに対応するオーディオオフセット値を以前に伝送受信されたオフセットテーブル情報を参照して確認するようになる。前記正常受信されたオーディオデータに該当するオーディオオフセット値が‘Ａ_Ｏｆｆｓｅｔ  １５’であって再同期化が可能な予測オーディオオフセット値が‘Ａ_Ｏｆｆｓｅｔ  ２０’である場合、前記‘Ａ_Ｏｆｆｓｅｔ  ２０’に対応するオーディオデータの伝送を要求するコマンド、例えば‘ＩｎｆｏｒｍＡｕｄｉｏＯｆｆｓｅｔ’コマンドを生成して前記コンテンツ提供サーバー３００に伝送するようになる。
【００５５】
そして、前記コンテンツ提供サーバー３００では、前記‘ＩｎｆｏｒｍＡｕｄｉｏＯｆｆｓｅｔ’コマンドによって前記オフセットテーブル情報を参照して前記‘Ａ_Ｏｆｆｓｅｔ  ２０’に対応するオーディオデータの記録位置を探索した後、その記録位置でのオーディオデータを読み出し伝送するようになる。この時コンテンツ情報の再転送を知らせるコマンド、例えば‘ＲｅＳｙｎｃｈＡＣＫ’コマンドを先に伝送した後、‘Ａ_Ｏｆｆｓｅｔ  ２０’に対応するオーディオデータを伝送するようになる。
【００５６】
したがって、前記対話形ＤＶＤプレーヤー１００では、前記‘ＲｅＳｙｎｃｈＡＣＫ’コマンドが受信された以後に、前記のような過程を介して伝送するオーディオデータを現在対話形ＤＶＤ  １０から読み出すデータと再同期して再生する動作を遂行するようになる。
【００５７】
参考に前記対話形ＤＶＤプレーヤーとコンテンツ提供サーバーでは、前記オーディオオフセット情報の代わりに前記再生時間情報またはビデオオフセット情報を参照して、それに対応するＥＮＡＶデータを送／受信するようになる。
【００５８】
また、前記対話形ＤＶＤプレーヤー１００では、前記バッファーメモリー１４にダウンロードしたＥＮＡＶコンテンツ情報、例えばオーディオデータの保存容量をコンテンツ提供サーバー３００に伝送して、前記コンテンツ提供サーバー３００では、そのオーディオデータの保存容量を確認して前記対話形ＤＶＤプレーヤーに伝送するオーディオデータの伝送速度を適切に可変制御することができる。
【００５９】
例えば、前記コンテンツ提供サーバー３００では、前記対話形ＤＶＤプレーヤー１００との初期インターネット接続動作遂行時、コントロール接続（Ｃｏｎｔｒｏｌ  Ｃｏｎｎｅｃｔｉｏｎ）に必要なＩＰ（ＩＰ：Ｉｎｔｅｒｎｅｔ  Ｐｒｏｔｏｃｏｌ）とポート（Ｐｏｒｔ）を割り当てて伝送して、前記対話形ＤＶＤプレーヤー１００では、前記バッファーメモリー１４の現在保存可能なバッファーサイズを確認して前記コンテンツ提供サーバー３００に伝送するようになる。
【００６０】
そして、前記コンテンツ提供サーバー３００では、前記のように伝送するバッファーサイズを参照して対話形ＤＶＤプレーヤー１００に伝送するオーディオデータの伝送速度を適切に調節して、前記バッファーメモリーに保存されるオーディオデータのオーバーフロー（Ｏｖｅｒｆｌｏｗ）やまたはバッファーアンダーラン（Ｂｕｆｆｅｒ  Ｕｎｄｅｒ−Ｒｕｎ）が発生しないようにする。
【００６１】
参考に、ＩＰとポートは‘ＣｏｎｎＴｏＣｔｒｌＳｅｒｖｅｒ（ｃｈａｒ  *ＩＰ、ｃｈａ  *ｐｏｒｔ）’コマンドで伝送することができて、またバッファーサイズは‘ＳｅｎｄＵｓａｂｌｅＢｕｆｆｅｒ’コマンドで伝送することができる。
【００６２】
また、前記対話形ＤＶＤプレーヤー１００では、ユーザーの要求によりプレー（Ｐｌａｙ）モードをポーズオン（Ｐａｕｓｅ  Ｏｎ）状態に切り替えるようになる場合、そのポーズオン状態を知らせるための‘ＳｅｎｄＰａｕｓｅＯｎ’コマンドを生成して前記コンテンツ提供サーバー３００に伝送して、またポーズオフ状態に切り替えるようになる場合、そのポーズオフ状態を知らせるための‘ＳｅｎｄＰａｕｓｅＯｆｆ’コマンドを生成して前記コンテンツ提供サーバー３００に伝送するようになる。
【００６３】
したがって、前記コンテンツ提供サーバーでは、対話形ＤＶＤプレーヤーでの動作モード状態に相応して、オーディオデータの伝送を一時停止するかまたは伝送を再開するようになる。
【００６４】
前記のように構成される本発明による対話形光ディスク装置でのコンテンツ情報再生方法とコンテンツ提供サーバーでのコンテンツ情報提供方法は、インターネットを介して接続した対話形光ディスク装置とコンテンツ提供サーバー間に送／受信される多様なコンテンツ情報の伝送が一時断絶されたりまたは遅れた場合にも、対話形ＤＶＤから読み出すデータストリームとコンテンツ提供サーバーから提供するコンテンツ情報を再同期して再生することができて、対話形光ディスク装置を具備したユーザーがより多様なコンテンツ情報を正常的に視聴することができるようになる。
【００６５】
以上前述した本発明の望ましい実施形態は例示の目的のために開示されたものであって、対話形ＤＶＤ以外にも再記録可能なＤＶＤ（ＤＶＤ−ＲＷ、ＤＶＤ−ＲＡＭ）または多様な情報記録媒体に適用が可能であり、当業者ならば添付された特許請求範囲に開示された本発明の技術的思想とその技術的範囲内で多様な他の実施形態を改良、変更、代替または付加などが可能であることである。
【図面の簡単な説明】
【００６６】
【図１】本発明が適用される対話形光ディスク装置とコンテンツ提供サーバー間の接続状態を示すブロック図である。
【図２】本発明が適用される対話形光ディスク装置でのデータ再生状態を概念的に示す説明図である。
【図３】本発明の第１実施形態による対話形光ディスク装置とコンテンツ提供サーバー間のデータ送／受信過程を示す説明図である。
【図４】本発明の第２実施形態による対話形光ディスク装置とコンテンツ提供サーバー間のデータ送／受信過程を示す説明図である。
【図５】本発明の第３実施形態による対話形光ディスク装置とコンテンツ提供サーバー間のデータ送／受信過程を示す説明図である。
【図６】本発明の第４実施形態による対話形光ディスク装置とコンテンツ提供サーバー間のデータ送／受信過程を示す説明図である。
【図７】本発明によるビデオ及びオーディオオフセットテーブルに対する構成を示す説明図である。
【図１】
2006506769.tif 000003
【図２】
2006506769.tif 000004
【図３】
2006506769.tif 000005
【図４】
2006506769.tif 000006
【図５】
2006506769.tif 000007
【図６】
2006506769.tif 000008
【図７】
2006506769.tif 000009
【国際調査報告】
2006506769.tif 000010